(57)【要約】【課題】ノギスの測定対象物の位置決め特性が向上し且つ／又は再現性が向上し、且つ、そのノギスが安価で、人間工学的に使い易く、再現性（反復性）があり、直感的に理解可能であること。【解決手段】ノギスの測定ジョウに連結されるジョウ取付式マグネットアクセサリが提供される。ジョウ取付式マグネットアクセサリは、磁石構成と、取付構成インタフェースとを具備する。磁石構成は、磁石構成の作用面から広がる磁界を生成する少なくとも１つ磁石を有する。ジョウ取付式マグネットアクセサリは、測定対象物（例えば、鉄系材料から成る）を接触面に保持するように、磁石構成の作用面がノギスジョウの接触面の近傍に配置されるように構成される。測定対象物を接触面に対して面一に保持するのに磁界を利用することで、小型又は薄型の測定対象物を扱うのがより簡単になり、且つ／又は一部の測定対象物の測定に関して精度及び再現性（反復性）を向上させることができる。【選択図】図１
2016057292.tif 000002
【特許請求の範囲】
【請求項１】
測定時に測定対象物と接触される接触面がノギスの測定軸方向に対して垂直に配向されたノギスの測定ジョウに連結される、ジョウ取付式マグネットアクセサリであって、
作用面から広がる磁界を生成する少なくとも１つの磁石を有する磁石構成と、
取付構成インタフェースと
を具備し、
前記ジョウ取付式マグネットアクセサリは、
前記ノギスの測定ジョウに保持されるように、前記取付構成インタフェースを用いる取付構成によって前記ノギスの測定ジョウに連結され、
前記ノギスの測定ジョウに連結されたときに、前記磁石構成の前記作用面が前記接触面の近傍に配置され、前記磁界を前記接触面の近傍に生成するように構成される
ジョウ取付式マグネットアクセサリ。
【請求項２】
請求項１に記載のジョウ取付式マグネットアクセサリであって、
前記磁石構成は、前記作用面の近傍に１つの磁極を呈するように構成される
ジョウ取付式マグネットアクセサリ。
【請求項３】
請求項１に記載のジョウ取付式マグネットアクセサリであって、
前記磁石構成は、前記作用面の近傍に少なくとも２つの磁極を呈するように構成される
ジョウ取付式マグネットアクセサリ。
【請求項４】
請求項３に記載のジョウ取付式マグネットアクセサリであって、
前記作用面の近傍の前記少なくとも２つの磁極は、前記作用面の近傍の、両極性を有する少なくとも一対の磁極を含む
ジョウ取付式マグネットアクセサリ。
【請求項５】
請求項３に記載のジョウ取付式マグネットアクセサリであって、
前記作用面の近傍の前記少なくとも２つの磁極は、前記作用面の近傍の、両極性を有する複数の対の磁極を含む
ジョウ取付式マグネットアクセサリ。
【請求項６】
請求項１に記載のジョウ取付式マグネットアクセサリであって、
前記取付構成は、前記ノギスの測定ジョウに設けられた１つ又は複数の取付凹部を有し、
前記取付構成インタフェースは、前記１つ又は複数の取付凹部に少なくとも部分的に嵌入するように形成される当該ジョウ取付式マグネットアクセサリの外面を含む
ジョウ取付式マグネットアクセサリ。
【請求項７】
請求項６に記載のジョウ取付式マグネットアクセサリであって、
前記１つ又は複数の取付凹部は、前記接触面と交差する、前記ノギスの測定ジョウの上面及び下面の少なくとも一方、又は前記測定軸方向と交差する、前記ノギスの測定ジョウの背面及び前面の少なくとも一方に、１つ又は複数の開口を有する
ジョウ取付式マグネットアクセサリ。
【請求項８】
請求項６に記載のジョウ取付式マグネットアクセサリであって、
前記磁石構成と、前記取付構成インタフェースとは、一体化したインタフェースモジュールを構成する
ジョウ取付式マグネットアクセサリ。
【請求項９】
請求項１に記載のジョウ取付式マグネットアクセサリであって、
前記ノギスの測定ジョウに連結されたときに前記ノギスの測定ジョウを取り囲むクリップを含み、
前記取付構成インタフェースは、前記クリップの１つ又は複数の面を含む
ジョウ取付式マグネットアクセサリ。
【請求項１０】
請求項９に記載のジョウ取付式マグネットアクセサリであって、
前記クリップは、磁化されることで前記磁石構成となる材料であって、当該ジョウ取付式マグネットアクセサリが前記ノギスの測定ジョウに連結されたときに前記接触面の近傍領域に届き、前記磁石構成の前記作用面を前記接触面の近傍に配置する材料を含む
ジョウ取付式マグネットアクセサリ。
【請求項１１】
請求項１に記載のジョウ取付式マグネットアクセサリであって、
前記磁石構成と、前記取付構成インタフェースとは、一体化したインタフェースモジュールを構成する
ジョウ取付式マグネットアクセサリ。
【請求項１２】
請求項１１に記載のジョウ取付式マグネットアクセサリであって、
前記インタフェースモジュールは、磁化されることで前記磁石構成となる材料を含む
ジョウ取付式マグネットアクセサリ。
【請求項１３】
請求項１１に記載のジョウ取付式マグネットアクセサリであって、
前記インタフェースモジュールは、ユーザに操作されることによって、前記接触面の近傍に生成された前記磁界を調整する磁界作動部を有する
ジョウ取付式マグネットアクセサリ。
【請求項１４】
請求項１３に記載のジョウ取付式マグネットアクセサリであって、
前記磁界作動部は、前記作用面に生成された前記磁界を調整するために、
ａ）前記磁石構成の前記作用面を前記接触面に対して移動させるように接続されるアクチュエータ、及び
ｂ）前記磁石構成に含まれる磁極を有する磁石及び前記磁石構成に含まれる磁路材料の少なくとも一方を移動させるように接続されるアクチュエータ
の少なくともいずれか１つを有する
ジョウ取付式マグネットアクセサリ。
【請求項１５】
請求項１４に記載のジョウ取付式マグネットアクセサリであって、
前記磁石構成は、前記作用面に向いて第一極性の磁極を呈する複数の第１の磁石と、第二極性の磁極を有する複数の第２の磁石とが交互に配置され、
前記アクチュエータは、前記複数の第２の磁石に接続され、前記複数の第２の磁石の少なくとも１つを移動させて、前記複数の第１の磁石の前記第一極性の磁極と前記複数の第２の磁石の前記第二極性の磁極との位置関係を変化させる
ジョウ取付式マグネットアクセサリ。
【請求項１６】
請求項１５に記載のジョウ取付式マグネットアクセサリであって、
前記複数の第２の磁石は、前記インタフェースモジュールの軸を中心に回転するように取り付けられ、前記軸を中心に一定角度毎に分布する複数の第一磁性の磁極及び複数の第二極性の磁極の両極を有し、
前記アクチュエータは、前記複数の第２の磁石に接続され、前記作用面に向いて第二極性の磁極を呈する位置と、前記作用面に向いて第一極性の磁極を呈する位置との間で、前記複数の第２の磁石の少なくとも１つを回転させる
ジョウ取付式マグネットアクセサリ。
【請求項１７】
請求項１３に記載のジョウ取付式マグネットアクセサリであって、
前記磁石構成の前記少なくとも１つの磁石は、電磁石を含み、
前記磁界作動部は、前記電磁石のオン・オフを切り替えるスイッチを有する、前記電磁石に給電する回路を含む
ジョウ取付式マグネットアクセサリ。
【請求項１８】
請求項１に記載のジョウ取付式マグネットアクセサリであって、
前記磁石構成の前記作用面が、前記接触面を形成する材料壁の内面に近接して又は前記接触面の上縁及び下縁の少なくとも一方に略近接して配置されるように構成される
ジョウ取付式マグネットアクセサリ。
【請求項１９】
測定時に測定対象物と接触される接触面がノギスの測定軸方向に対して垂直に配向されたノギスの測定ジョウに、測定対象物を保持する方法であって、
請求項１乃至請求項１９の何れか１項に記載のジョウ取付式マグネットアクセサリを、前記ノギスの測定ジョウに連結し、
前記接触面を前記測定対象物に対して配置し、前記ジョウ取付式マグネットアクセサリにより前記接触面の近傍に生成された前記磁界によって前記測定対象物を保持し、
前記測定対象物を前記磁界によって前記接触面に保持しながら、前記ノギスの測定ジョウによって前記測定対象物の外寸を測定する
方法。
【発明の詳細な説明】
【技術分野】
【０００１】
本発明は、精密測定器に関し、対象物の寸法を測定するための可動ジョウ付ノギスに関する。
【背景技術】
【０００２】
ノギスは、一組のジョウを用いて測定値を求める。通常、第１のジョウが測定スケールの一端に固定され、第２のジョウが、当該測定スケールに沿って移動するスライダ部に装着される。対象物の外寸の測定は、当該対象物を第１及び第２のジョウの内面で挟み込むことによって行われる。対象物の内寸の測定は、当該対象物の内面（例えば、孔の壁面）に第１及び第２のジョウの外面をそれぞれ押し当てることによって行われる。スライダ部は、ユーザが親指で動かすことができる。
【０００３】
ノギスのジョウ間の距離を測定するため、電子式位置エンコーダを用いることができる。当該電子式位置エンコーダは、例えば、低電力の電磁誘導式の位置検知技術に基づく。係るエンコーダは、読取ヘッドとスケールとを有する。読取ヘッドは、読取ヘッドセンサと読取ヘッド電装部とを有する。読取ヘッドは、測定軸に沿ったスケールに対する読取ヘッドセンサの位置に応じて変化する信号を出力する。スケールは、第１の測定ジョウを有する長尺状のスケール部材に設けられる。読取ヘッドは、第２の測定ジョウを有するスライダ部に設けられる。スライダ部は、スケール部材に沿って移動可能である。したがって、読取ヘッドからの信号に基づいて、２つの測定ジョウ間の距離測定値を求めることができる。
【０００４】
同一出願人による特許文献１、特許文献２、及び特許文献３には、典型的な電子ノギスが開示される。しかし、従来のノギスには、使用時に欠点がある。具体的には、測定中の測定対象物が、ノギスのジョウ間で歪んだり、位置ずれを起こしたりすると、当該測定対象物の適切な外寸値が得られなくなる場合がある。
【先行技術文献】
【特許文献】
【０００５】
【特許文献１】米国再発行特許第３７４９０号
【特許文献２】米国登録特許第５５７４３８１号
【特許文献３】米国登録特許第５９７３４９４号
【特許文献４】米国登録特許第５９０１４５８号
【特許文献５】米国登録特許第６４００１３８号
【特許文献６】米国登録特許第４４６８６４９号
【特許文献７】米国登録特許第４５７５７０２号
【特許文献８】米国登録特許第８１８３９６５号
【特許文献９】米国特許出願第０９／００２７１４９号
【発明の概要】
【発明が解決しようとする課題】
【０００６】
以上のような事情に鑑み、本発明の目的は、ノギスの測定対象物の位置決め特性（positioning alignment）が向上し且つ／又は再現性が向上し、且つ、そのノギスが安価で、人間工学的に使い易く、再現性（反復性）があり、直感的に理解可能であることにある。
【課題を解決するための手段】
【０００７】
この「課題を解決するための手段」では、以下の「発明を実施するための形態」に詳細に記載された各構想のなかから選択した構想を単純化したものを紹介する。この「課題を解決するための手段」は、「特許請求の範囲」の内容の重要な特徴を特定するためのものではなく、「特許請求の範囲」の範囲を特定するのに用いられるものでもない。
【０００８】
測定時に測定対象物と接触される接触面がノギスの測定軸方向に対して垂直に配向されたノギスの測定ジョウに連結される、ジョウ取付式マグネットアクセサリが提供される。種々の実装形態では、当該ジョウ取付式マグネットアクセサリは、磁石構成と、取付構成インタフェースとを具備してもよい。磁石構成は、作用面から広がる磁界を生成する少なくとも１つの磁石を有してもよい。当該ジョウ取付式マグネットアクセサリは、前記ノギスの測定ジョウに保持されるように、前記取付構成インタフェースを用いる取付構成によって前記ノギスの測定ジョウに連結されるように構成されてもよい。また、当該ジョウ取付式マグネットアクセサリは、前記ノギスの測定ジョウに連結されたときに、前記磁石構成の前記作用面が前記接触面の近傍に配置されるように構成されてもよい。当該ジョウ取付式マグネットアクセサリは、ノギスの測定ジョウに連結されたときに、前記磁界を前記接触面の近傍に生成し得るように構成される。これにより、測定対象物を前記接触面に保持可能になる。
【０００９】
別の態様によれば、前記磁石構成は、前記作用面の近傍に１つ又は複数の磁極を呈するように構成されてもよい。一実装形態では、前記作用面の近傍の、両極性を有する少なくとも一対の磁極が設けられてもよい。別の実装形態では、前記作用面の近傍の、両極性を有する複数の対の磁極が設けられてもよい。
【００１０】
別の態様によれば、前記取付構成は、前記ノギスの測定ジョウに設けられた１つ又は複数の取付凹部を有し、前記取付構成インタフェースは、前記１つ又は複数の取付凹部に少なくとも部分的に嵌入するように形成される当該ジョウ取付式マグネットアクセサリの外面を含んでもよい。一実装形態では、前記１つ又は複数の取付凹部は、前記接触面と交差する、前記ノギスの測定ジョウの上面及び下面の少なくとも一方に１つ又は複数の開口を有してもよい。別の実装形態では、前記１つ又は複数の取付凹部は、前記測定軸方向と交差する、前記ノギスの測定ジョウの背面及び前面の少なくとも一方に、１つ又は複数の開口を有してもよい。取付凹部を有する係る実装形態では、当該ジョウ取付式マグネットアクセサリは、前記磁石構成の前記作用面が、前記接触面を形成する材料壁の内面に近接して配置されるように構成されてもよい。
【００１１】
別の態様によれば、当該ジョウ取付式マグネットアクセサリは、前記ノギスの測定ジョウに連結されたときに前記ノギスの測定ジョウを取り囲むクリップを含み、前記取付構成インタフェースは、前記クリップの１つ又は複数の面を含んでもよい。一実装形態では、前記クリップは、磁化されることで前記磁石構成となる材料を含んでもよい。前記磁化材料は、当該ジョウ取付式マグネットアクセサリが前記ノギスの測定ジョウに連結されたときに前記接触面の近傍領域に届き、前記磁石構成の前記作用面を前記接触面の近傍に配置する。係る実装形態では、前記作用面が、前記接触面の上縁及び下縁の少なくとも一方に略近接して配置されてもよい。
【００１２】
別の態様によれば、当該ジョウ取付式マグネットアクセサリは、前記磁石構成と、前記取付構成インタフェースとが一体化されたインタフェースモジュールを具備してもよい。一実装形態では、前記インタフェースモジュールは、磁化されることで前記磁石構成となる材料を含んでもよい。
【００１３】
別の態様によれば、前記インタフェースモジュールは、ユーザに操作されることによって、前記接触面の近傍に生成された前記磁界を調整するアクチュエータを有する磁界作動部を有してもよい。種々の実装形態では、前記アクチュエータは、前記磁石構成の前記作用面を前記接触面に対して移動させるように、又は、前記磁石構成に含まれる磁極を有する磁石を移動させるように、又は、前記磁石構成に含まれる磁路材料を移動させるように接続されてもよい。一実装形態では、前記磁石構成の前記少なくとも１つの磁石は、電磁石を含み、前記磁界作動部は、前記電磁石のオン・オフを切り替えるスイッチを有する、前記電磁石に給電する回路を含んでもよい。
【００１４】
別の態様によれば、前記磁石構成は、前記作用面に向いて第一極性の磁極を呈する複数の第１の磁石と、第二極性の磁極を有する複数の第２の磁石とが交互に配置されてもよい。前記アクチュエータは、前記複数の第２の磁石に接続され、前記複数の第２の磁石の少なくとも１つを移動させて、前記複数の第１の磁石の前記第一極性の磁極と前記複数の第２の磁石の前記第二極性の磁極との位置関係を変化させてもよい。一実装形態では、前記複数の第２の磁石は、前記インタフェースモジュールの軸を中心に回転するように取り付けられ、前記軸を中心に一定角度毎に分布する複数の第一磁性の磁極及び複数の第二極性の磁極の両極を有してもよい。前記アクチュエータは、前記複数の第２の磁石に接続され、前記作用面に向いて第二極性の磁極を呈する位置と、前記作用面に向いて第一極性の磁極を呈する位置との間で、前記複数の第２の磁石の少なくとも１つを回転させてもよい。
【００１５】
別の態様によれば、当該ジョウ取付式マグネットアクセサリは、前記磁石構成の前記作用面が、前記接触面を形成する材料壁の内面に近接して又は前記接触面の上縁及び下縁の少なくとも一方に略近接して配置されるように構成されてもよい。
【発明の効果】
【００１６】
本発明によれば、ノギスの測定対象物の位置決め特性が向上し且つ／又は再現性が向上し、且つ、そのノギスが安価で、人間工学的に使い易く、再現性（反復性）があり、直感的に理解可能である。
【図面の簡単な説明】
【００１７】
【図１】本明細書に開示される原理に係るジョウ取付式マグネットアクセサリと共に用いることができるスライダ及びスケールを有する手工具式ノギスを示す分解等角図である。
【図２】第１の実施形態に係るジョウ取付式マグネットアクセサリを有する図１のノギスの一部を示す等角図である。
【図３】第２の実施形態に係るジョウ取付式マグネットアクセサリを有する図１のノギスの一部を示す等角図である。
【図４】第３の実施形態に係るジョウ取付式マグネットアクセサリを有する図１のノギスの一部を示す等角図である。
【図５】第４の実施形態に係るジョウ取付式マグネットアクセサリを有する図１のノギスの一部を示す等角図である。
【図６】第５の実施形態に係るジョウ取付式マグネットアクセサリを示す等角図である。
【発明を実施するための形態】
【００１８】
図１は、手工具式ノギス１００を示す分解等角図である。本例において、ノギス１００は、スライダ変位センサ１５８（例えば、電磁誘導式のセンサ機構）と、スケール基板１２５とを有する。スケール基板１２５は、スケールトラック１２６（それぞれ一部断面図として図示）を有し、長尺状のスケール部材１０２に沿う溝１２７内に配置される。別の実施形態では、別の方式のスライダ変位センサ１５８を使用してもよい（例えば、静電容量式等）。スライダ機構１７０は、スライダ１３０に設けられた電装部１６０を有する。スライダ変位センサ１５８は、電装部１６０に設けられる。
【００１９】
ノギス１００の機械構造及び操作は、同一出願人による特許文献４等、特定の先行技術に係る電子ノギスの機械構造及び操作と同様である。スケール部材１０２は、剛体又は半剛体の棒であり、略矩形の断面に含まれる各種の溝及び／又は他の特徴を有してもよい。スケール基板１２５は、溝１２７に強固に接着されてもよい。スケールトラック１２６は、スライダ変位センサ１５８の対応する構成要素（図示せず）と協働する、スケール構成要素を有してもよい。その方法は、公知の電子ノギスで用いられる方法と同様であり、特許文献１及び特許文献４や、同一出願人による特許文献５に記述される通りである。
【００２０】
一組のジョウ１０８、１１０は、スケール部材１０２の第１の端部の近傍に形成される。対応して、１組のジョウ１１６、１１８は、スライダ１３０に形成される。ジョウ１０８、１１６の１組の係合面（測定面）１１４の間に測定対象物を配置して、測定対象物の外寸を測定する。同様に、ジョウ１１０、１１８の１組の係合面（測定面）１２２を、測定対象物の相反する各内壁面に対して配置して、測定対象物の内寸を測定する。ある位置（ゼロ位置と称することもある）においては、係合面１１４が互いに当接し、係合面１２２が一直線になる。このとき、ノギス１００により測定される外寸及び内寸は、ゼロを指してもよい。
【００２１】
寸法測定値は、デジタル表示装置１４４に表示されてもよい。このデジタル表示装置１４４は、ノギス１００の電装部１６０のカバー１４０内に実装されている。電装部１６０はまた、押しボタンスイッチ１４１（例えば、「原点」スイッチ）と、信号処理／表示回路１５０とを有してもよい。信号処理／表示回路１５０は、スケール部材１０２のいずれか一方の側においてスライダ１３０の上面と当接するように設置される回路基板を有してもよい。
【００２２】
操作時において、測定対象物の外寸を測定するため、ユーザは、スライダ１３０を押圧し、測定軸方向に沿ってスケール部材１０２の第１の端部へ移動させる。その結果、測定対象物が測定ジョウ１０８、１１６の係合面１１４間に保持される。本明細書に開示される原理によると、ジョウ取付式マグネットアクセサリ１９０は、一方の測定ジョウ（例えば、測定ジョウ１０８）に連結される。後で図２〜図６を参照してより詳細に説明するが、ジョウ取付式マグネットアクセサリは、（例えば、測定ジョウ１０８の）係合面１１４の近傍に磁界を生成することができ、これによって、測定対象物が係合面１１４に保持され、当該測定対象物の外寸の測定が行われる。
【００２３】
図２は、第１の実施形態に係るジョウ取付式マグネットアクセサリ２９０を有する、図１のノギス１００の一部を示す等角図である。図２に示すように、測定対象物ＷＰの外寸の測定は、ノギス１００の測定ジョウ１０８、１１６の一対の係合面１１４間に測定対象物ＷＰを配置して行われる。図示するように、接触面１１４は通常、ノギスの測定軸方向（例えば、ｘ軸）に対して垂直になっている。また、測定ジョウ１０８は、上面ＴＳ、下面ＢＳ、背面ＲＳ、及び前面ＦＳを有する。図２の実装形態では、背面ＲＳに開口を設けて一対の取付凹部ＭＲ２Ａ、ＭＲ２Ｂが形成されている。ジョウ取付式マグネットアクセサリ２９０は、これらの開口に取付構成（mounting arrangement）の一部として挿入されることで、測定ジョウ１０８に連結される。代替的な実装形態では、取付凹部の開口は、測定ジョウの上面ＴＳ、下面ＢＳ、背面ＲＳ、及び前面ＦＳのいずれに設けてもよいことを理解されたい。後でより詳細に説明するが、ジョウ取付式マグネットアクセサリ２９０が測定ジョウ１０８に連結される図２の実装形態では、磁石構成ＭＣ２の作用面ＯＦ２は、前面ＦＳを形成する材料壁の内面ＩＳと、当該前面ＦＳに対応する測定ジョウ１０８の係合面１１４とに近接して配置される。
【００２４】
また、図２に示すように、ジョウ取付式マグネットアクセサリ２９０は、一対の棒磁石Ｍ２Ａ、Ｍ２Ｂを具備する磁石構成ＭＣ２を有する。種々の実装形態では、棒磁石Ｍ２Ａ、Ｍ２Ｂは、永久磁石、電磁石、若しくはそれらの組合せ、又は他のタイプの磁石であってもよい。棒磁石Ｍ２Ａ、Ｍ２Ｂの円筒状の外面によって、測定ジョウ１０８の取付凹部ＭＲ２Ａ、ＭＲ２Ｂ（まとめて取付凹部ＭＲ２と称する）に嵌入するように構成される取付構成インタフェースＭＡＩ２が形成される。磁石構成ＭＣ２が、取付凹部ＭＲ２に挿入されて測定ジョウ１０８に連結されると、磁石構成ＭＣ２の作用面ＯＦ２が、測定ジョウ１０８の接触面１１４の近傍に配置される。磁石構成ＭＣ２は、作用面ＯＦ２から広がる磁界を生成するように構成される。動作時において、ジョウ取付式マグネットアクセサリ２９０は、係合面１１４の近傍に磁界（例えば、棒磁石Ｍ２Ａ、Ｍ２Ｂの端部に、両極性の磁極Ｎ、Ｓで概略的に示す）を生成し、これによって、測定対象物ＷＰが接触面１１４に保持され、測定が行われる。
【００２５】
測定対象物ＷＰが、作用面ＯＦ２から広がる磁界に引き寄せられる鉄又は他の磁性材料から成る場合、当該測定対象物ＷＰは、この磁界の磁力によって係合面１１４に保持されることを理解されたい。これによって、測定対象物ＷＰを、確実に位置合わせした状態で（例えば、係合面１１４と面一に）保持することが可能になる。その結果、小型又は薄型の測定対象物を扱うことが容易で簡単になり、且つ／又は、特に小型の測定対象物に対する測定再現性及び精度が向上する。この点が、従来のノギス構成とは対照的である。従来のノギス構成では、測定対象物が小型である場合、当該測定対象物が脱落又は破損したり、係合面１１４に対して正しく位置合わせされなかったりして、測定に狂いが生じる場合があった。
【００２６】
図３は、第２の実施形態に係るジョウ取付式マグネットアクセサリ３９０を示す等角図である。ジョウ取付式マグネットアクセサリ３９０の各構成要素は、同一の参照符号が付された、図２のジョウ取付式マグネットアクセサリ２９０の構成要素と同様であり、以下で別途記載がない限り、図２の構成要素と同様の機能を有することを理解されたい。図３に示すように、ジョウ取付式マグネットアクセサリ３９０はインタフェースモジュールＩＭ３を有する。インタフェースモジュールＩＭ３とは、磁石構成ＭＣ３と、取付構成インタフェースＭＡＩ３とが一体化されたものである。種々の実装形態では、磁石構成ＭＣ３は、多種の部材（例えば、インタフェースモジュールＩＭ３のケースに収容される１つ又は複数の磁石）から形成してもよいし、インタフェースモジュールＩＭ３等に含まれる磁化材料から形成してもよい。取付構成インタフェースＭＡＩ３は、ノギス１００の測定ジョウ１０８の取付凹部ＭＲ３に嵌入するように構成されるインタフェースモジュールＩＭ３の外面を含む。
【００２７】
図３の実施形態では、取付凹部ＭＲ３は、測定ジョウ１０８の背面ＲＳに開口を有する。当該取付凹部ＭＲ３に取付構成インタフェースＭＡＩ３が挿入されることで、ジョウ取付式マグネットアクセサリ３９０が測定ジョウ１０８に連結される。ジョウ取付式マグネットアクセサリ３９０が測定ジョウ１０８に連結されると、磁石構成ＭＣ３の作用面ＯＦ３が、前面ＦＳを形成する材料壁の内面ＩＳと、当該内面ＩＳに対応する測定ジョウ１０８の係合面１１４とに近接して配置される。磁石構成ＭＣ３は、作用面ＯＦ３から広がる磁界（例えば、磁極Ｎ、Ｓで概略的に示す）を生成する。ジョウ取付式マグネットアクセサリ３９０が測定ジョウ１０８に連結されると、作用面ＯＦ３が、測定対象物を係合面１１４に保持する測定ジョウ１０８の係合面１１４の近傍に磁界を生成するように配置される。
【００２８】
図４は、第３の実施形態に係るジョウ取付式マグネットアクセサリ４９０を示す等角図である。ジョウ取付式マグネットアクセサリ４９０の各構成要素は、同一の参照符号が付された、上記ジョウ取付式マグネットアクセサリ２９０及び３９０の構成要素と同様であり、以下で別途記載がない限り、これらの構成要素と同様の機能を有することを理解されたい。図４に示すように、ジョウ取付式マグネットアクセサリ４９０は、インタフェースモジュールＩＭ４を有する。インタフェースモジュールＩＭ４とは、磁石構成ＭＣ４と、取付構成インタフェースＭＡＩ４とが一体化されたものである。取付構成インタフェースＭＡＩ４は、測定ジョウ１０８の取付凹部ＭＲ４に収容されるように構成されるインタフェースモジュールＩＭ４の外面を含む。図４の構成では、取付凹部ＭＲ４は、測定ジョウ１０８の上面ＴＳに開口を有する。他の実装形態では、取付凹部ＭＲ４は、上面ＴＳに加え又は上面ＴＳの代わりに、測定ジョウ１０８の他の面に開口を有してもよいことを理解されたい。磁石構成ＭＣ４は、両磁極Ｎ、Ｓで概略的に示すように作用面ＯＦ４から広がる磁界を生成する。取付凹部ＭＲ４に挿入されると、ジョウ取付式マグネットアクセサリ４９０は、係合面１１４の近傍に磁界を生成する。上述したように、測定対象物の外寸を測定している間、磁界によって測定対象物を係合面１１４に保持し、適切で再現可能な位置合わせを維持することができる。
【００２９】
インタフェースモジュールＩＭ４は、操作子ＯＥ４のための領域を有する。種々の実装形態では、操作子ＯＥ４は、電池、スイッチ、又は外部電源用のプラグ（例えば、磁石構成ＭＣ４が電磁石を有する場合）等の部材とすることができる。他の実装形態では、操作子ＯＥ４は、ジョウ取付式マグネットアクセサリ４９０を測定ジョウ１０８の取付凹部ＭＲ４に挿入したり、取付凹部ＭＲ４から取り外したりするのを補助する取っ手又はこれと同様の部材であってもよい。
【００３０】
取付構成インタフェースＭＡＩ４の一部として、他の取付機構４０５がさらにインタフェースモジュールＩＭ４上に設けられてもよい。取付機構４０５は、（例えば、ジョウ取付式マグネットアクセサリ４９０を取付凹部ＭＲ４内で所望の位置／向きに固定するように、）当該取付機構４０５と対応する測定ジョウ１０８上の取付機構４１０に係合されるように構成されてもよい。例えば、一具体例としての実装形態では、インタフェースモジュールＩＭ４上の付加的な取付機構４０５は、窪み又は戻り留めとすることができ、測定ジョウ１０８の取付凹部ＭＲ４内の、当該取付機構４０５に対応する取付機構４１０（例えば、孔）に収まる形状とされる。
【００３１】
種々の実装形態では、インタフェースモジュールＩＭ４は、対称形状とし、種々の目的のために取付凹部ＭＲ４内において逆向きに取り付けることができる。例えば、インタフェースモジュールＩＭ４は、強力な磁界が主に作用面ＯＦ４のみに形成され、インタフェースモジュールＩＭ４の反対側には形成されないように構成されてもよい。したがって、ユーザが（例えば、格納のために）取付凹部ＭＲ４内の対称のインタフェースモジュールＩＭ４の向きを逆にした場合、強力な磁界が係合面１１４に形成されない。あるいは、別個の格納凹部をノギス１００のいずれかの箇所に設けて、そこにジョウ取付式マグネットアクセサリ４９０を格納してもよい。後で図５を参照してより詳細に説明するが、ジョウ取付式マグネットアクセサリは、取付凹部に収容する代わりに、測定ジョウ１０８の複数の面に取り付けてもよい。
【００３２】
図５は、第４の実施形態に係るジョウ取付式マグネットアクセサリ５９０を示す等角図である。ジョウ取付式マグネットアクセサリ５９０の各構成要素は、同一の参照符号が付された、上記ジョウ取付式マグネットアクセサリ２９０、３９０及び４９０の構成要素と同様であり、以下で別途記載がない限り、これらの構成要素と同様の機能を有することを理解されたい。図５に示すように、ジョウ取付式マグネットアクセサリ５９０は、インタフェースモジュールＩＭ５を有する。インタフェースモジュールＩＭ５とは、磁石構成ＭＣ５と、取付構成インタフェースＭＡＩ５とが一体化されたものである。図５の実装形態では、ジョウ取付式マグネットアクセサリ５９０は、クリップとして形成される。測定ジョウ１０８を取り囲むこのクリップの面は、取付構成インタフェースＭＡＩ５に含まれる。磁石構成ＭＣ５は、両磁極Ｎ、Ｓで概略的に示すように作用面ＯＦ５から広がる磁界を生成する。
【００３３】
図５の実装形態では、インタフェースモジュールＩＭ５は磁化された材料を含み、これにより、磁石構成ＭＣ５が構成される。この磁性材料は、ジョウ取付式マグネットアクセサリ５９０が測定ジョウ１０８に連結されると、係合面１１４の近傍領域に届く。この構成によれば、磁石構成ＭＣ５の作用面ＯＦ５は、係合面１１４の上縁ＵＥ及び下縁ＬＥの両方に略近接して、且つ、クリップの上面及び下面の近くに配置される。
【００３４】
取付構成インタフェースＭＡＩ５の一部として、他の取付機構５０５を、さらにインタフェースモジュールＩＭ５に設けてもよい。取付機構５０５は、（例えば、ジョウ取付式マグネットアクセサリ５９０を測定ジョウ１０８に対して特定の位置に固定するように）当該取付機構５０５と対応する取付機構５１０に係合されるように構成されてもよい。例えば、一具体例としての実装形態では、インタフェースモジュールＩＭ５の取付機構５０５は、窪み又は戻り留めとすることができ、測定ジョウ１０８の、当該取付機構５０５に対応する取付機構５１０（例えば、孔）に収まる形状とされる。種々の実装形態では、取付機構５０５に対応する取付機構５１０は、反対側の測定ジョウ１１６上に設けることもできる。これによって、ジョウ取付式マグネットアクセサリ５９０を測定ジョウ１０８ではなく測定ジョウ１１６に連結したり、一対のジョウ取付式マグネットアクセサリ５９０を測定ジョウ１０８、１１６の両方に連結することが可能となる。一般的に、既存のノギスのスライダ及び当該スライダに付随するジョウは、特定の寸法を有しており、外付け部品を取り付けることができる機構を有する。種々の実装形態では、取付構成インタフェースＭＡＩ５は、この既存の取付機構及び／又は既存のノギスの寸法に適合する締結構成を用いて装着されるように構成される。
【００３５】
図６は、第５の実施形態に係るジョウ取付式マグネットアクセサリ６９０を示す等角図である。ジョウ取付式マグネットアクセサリ６９０の各構成要素は、同一の参照符号が付された、上記ジョウ取付式マグネットアクセサリ２９０、３９０、４９０及び５９０の構成要素と同様であり、以下で別途記載がない限り、これらの構成要素と同様の機能を有することを理解されたい。図６に示すように、ジョウ取付式マグネットアクセサリ６９０は、インタフェースモジュールＩＭ６を有する。インタフェースモジュールＩＭ６とは、磁界作動部６０５と、取付構成インタフェースＭＡＩ６とが一体化されたものである。取付構成インタフェースＭＡＩ６は、図４の取付構成インタフェースＭＡＩ４と同様とすることができ、したがって、取付凹部（例えば、図４に示す測定ジョウ１０８の取付凹部ＭＲ４）に嵌入するような形状とされる。
【００３６】
図６に示すように、磁界作動部６０５は、磁石構成ＭＣ６と、軸６１０と、アクチュエータ６２０とを有する。アクチュエータ６２０は、軸６１０に接続される。当該アクチュエータ６２０によって、ユーザが磁石構成ＭＣ６の作用面ＯＦ６から広がる磁界を調整することができる。磁石構成ＭＣ６は、作用面ＯＦ６に向いて第一極性の磁極Ｎを呈する複数の第１の磁石ＦＭを有する（例えば、図６に示す位置に複数の第１の磁石ＦＭの磁極Ｎで概略的に示す）。複数の第１の磁石ＦＭは、図６に示す位置において作用面ＯＦ６に向いて第二極性の磁極Ｓを呈する複数の第２の磁石ＳＭと、交互に配置される。
【００３７】
アクチュエータ６２０は、複数の第２の磁石ＳＭに接続され、複数の第２の磁石ＳＭを回転させて、複数の第１の磁石ＦＭの第一極性の磁極Ｎと複数の第２の磁石ＳＭの第二極性の磁極Ｓとの位置関係を変化させる。より具体的には、図６の実装形態では、複数の第２の磁石ＳＭは、軸６１０を中心に回転するように取り付けられ、軸６１０を中心に一定角度毎に分布する複数の第一極性の磁極Ｎ及び複数の第二極性の磁極Ｓの両極を有する。アクチュエータ６２０は、複数の第２の磁石ＳＭに接続され、作用面ＯＦ６（例えば、図６に示す）に向いて第二極性の磁極Ｓを呈する位置と、作用面ＯＦ６に向いて第一極性の磁極Ｎを呈する位置との間で、複数の第２の磁石ＳＭを回転させる。したがって、ユーザは、アクチュエータ６２０を利用して、作用面ＯＦ６から広がる磁界と、この磁界に対応する測定対象物保持力とを調整することができる。
【００３８】
図６の実装形態では、複数の第２の磁石ＳＭを作用面ＯＦ６に対して回転させるが、他の実装形態では、磁石又は他の構成要素を別の方向に動かし、作用面に発生する磁界を調整するアクチュエータを設けてもよいことを理解されたい。さらに、磁石構成ＭＣ６は、異なる構成の磁石の両極性を利用して実現してもよい。例えば、一実装形態では、磁路材料（例えば、磁気分路片）がアクチュエータによって可動とされ、作用面に発生する磁界を調整することができる。別の例として、磁石構成の磁石の１つ又は複数が、アクチュエータの制御に応じて相互に摺動可能とされ、作用面に発生する磁界を調整することができる。別の例として、磁石構成が係合面１１４に対して変位可能なように十分な空間を設けた取付凹部又は取付面を測定ジョウ１０８内又は測定ジョウ１０８上に設けてもよい（これは、図２〜図６に示すあらゆる磁石構成に適用可能）。磁界を調整する別の技術を利用することもできる。例えば、ハルバッハ配列（例えば、アクチュエータによって磁界の向きを変更する）を用いたり、電磁チャック及び他の装置に利用される技術を用いることができる。このうちのいくつかが、特許文献６、特許文献７、特許文献８、及び特許文献９に記載されている。
【００３９】
作用面に発生する磁界を調整するためのさらに別の技術を追加してもよい。例えば、追加の別個の磁石又は磁気分路若しくは磁極片を、上記磁石構成に追加したり、省いたり、又は、これらの相対的な位置を変更する構成が挙げられる。さらに、測定ジョウの所望の位置に磁石構成を保持するために、取付凹部の１つ又は複数の内面又は別の面が、或る特定の材料（例えば、鉄系材料）を含んでもよい。これにより、磁石構成（及び、例えば、ジョウ取付式マグネットアクセサリ全体）が、測定ジョウにおけるその取付位置に保持される。あるいは、実装形態によっては、測定ジョウの面を、或る特定の材料（例えば、非鉄系材料）から形成して、磁石構成を取り外したときに残留磁化を生じさせないようにすることが望ましい場合がある。ジョウ取付式マグネットアクセサリを測定ジョウから取り外したときに、ノギスが標準モードである「非磁化」モードで動作し、このモードでは、測定対象物（例えば、鉄系材料から成る）が測定ジョウに引き寄せられなくなることを理解されたい。標準モードである非磁化モードは、測定ジョウから鉄屑を容易に除去するのにも好適であり得ることを理解されたい。
【００４０】
実装形態（例えば、本明細書に開示される実施形態のいずれか）によっては、ジョウ取付式マグネットアクセサリが測定ジョウ１０８に連結されたときに測定ジョウ１０８、１１６が閉じないように、磁化しない方の測定ジョウ（例えば、測定ジョウ１１６）を非鉄製とすることが望ましい場合がある。あるいは、別の実装形態では、測定ジョウ１０８、１１６が互いに引き寄せられることで測定対象物を保持するための測定力が生じるように、測定ジョウ１０８、１１６の両方が磁化される（例えば、測定ジョウ１１６を鉄製とする、又は、測定ジョウ１１６が別個のジョウ取付式マグネットアクセサリを有する等）ことが望ましい場合もある。実装形態によっては、いずれの測定ジョウ１０８、１１６を磁化するかをユーザが選択可能とする（例えば、ジョウ取付式マグネットアクセサリを測定ジョウ１０８及び１１６のいずれか一方又は両方等に連結可能とする）ことが望ましい場合もある。
【００４１】
磁石構成が電磁石を有する実装形態では、磁石構成内のコイルに直流電流を流してコイルを磁化すればよい。電磁石用の電力は、ノギスのバッテリ、電磁石専用のバッテリ、又は、プラグ接続を介した電磁石専用の外部電源等によって供給可能である。あるいは、測定ジョウは、直流電流で磁化可能な鉄系材料を含んでもよい。これによって、直流電流の供給を絶った後も磁化された状態となる。消磁について、一実装形態では、交流電流の減衰を利用することができる（例えば、これによって材料から磁気を除去する）。一実装形態では、外部電源に接続するベースステーション（base station）／ノギスクレードル（tool cradle）を利用して測定ジョウの磁化又は消磁を行ってもよい。
【００４２】
これまで概説したジョウ取付式マグネットアクセサリの実施形態は、例示に過ぎず、限定的なものではないことを理解されたい。とりわけ、磁石構成及び／又は磁界を概略的に示すために２つの磁極を例示したが、種々の同様の実施形態では、作用面の近傍に設ける磁極は１つでもよく（例えば、磁石構成の作用面から広がる磁界を生成する少なくとも１つの磁石）、又は、種々の公知の方法によって３つ以上の磁極を作用面の近傍に設けてもよい（例えば、追加の交互に配置された又は積層された磁石を用いて且つ／又はこれらの磁石用の成形した磁極片を用いて等）ことを理解されたい。磁界の強さは、磁極の間隔を短くするほど早く減少することを理解されたい。したがって、種々の実施形態では、測定対象物を引き寄せる力及び／又は保持する力が所望の値となるように、磁極の個数及び／又は磁極の間隔及び／又は作用面と係合面との距離を変更且つ／又は調整可能とすることができる。また、モノリシック、つまり、一体的な構造の一部としてそれぞれ示した各種構成要素が、代替的に組み立て式要素であってもよい。逆に、組み立て式構成要素が、代替的にモノリシック、つまり、一体的な構造内に設けられてもよい。本明細書に開示された原理を実施するのに様々な代替形状及び形態を用いてもよい。さらに、上記各実施形態を組み合わせて、さらに別の実施形態を提供することができる。本明細書に記載した全ての特許文献の開示を参照することにより、本発明の一部を構成する。必要に応じて、各特許文献の構想を採用して本実施形態の各態様を変更することができる。これにより、さらに別の実施形態を提供することができる。
【００４３】
上記説明に照らして本実施形態を多様に変更することが可能である。一般に、特許請求の範囲において使用する語句は、特許請求の範囲を、明細書及び特許請求の範囲に開示される具体的な実施形態に限定するものであると解釈されるべきでない。むしろ、考え得る全ての実施形態に加えて、特許請求の範囲の均等物の全範囲をも含むと解釈されるべきである。
【符号の説明】
【００４４】
１９０（２９０、３９０、４９０、５９０、６９０）…ジョウ取付式マグネットアクセサリ
１０８、１１６…測定ジョウ
１１４…接触面
ＭＣ２（ＭＣ３、ＭＣ４、ＭＣ５、ＭＣ６）…磁石構成
ＭＡＩ２（ＭＡＩ３、ＭＡＩ４、ＭＡＩ５、ＭＡＩ６）…取付構成インタフェース
【図１】
2016057292.tif 000003
【図２】
2016057292.tif 000004
【図３】
2016057292.tif 000005
【図４】
2016057292.tif 000006
【図５】
2016057292.tif 000007
【図６】
2016057292.tif 000008